(57)【要約】【課題】演奏者等が冊子状の楽譜をめくることなく、適切なタイミングで容易に楽譜を改ページして表示することができる楽譜表示装置を提供することを課題とする。【解決手段】複数ページの楽譜データを記憶するための記憶手段と、楽譜データを基に第１のページ及びそれに続く第２のページの楽譜を並べて表示するための表示手段と、楽譜データを基に第２のページに続く第３のページの楽譜を第１のページに代えて表示する改ページ手段とを有する楽譜表示装置が提供される。【選択図】        図２
2005017532.tif 000002
【特許請求の範囲】
【請求項１】
複数ページの楽譜データを記憶するための記憶手段と、
前記楽譜データを基に第１のページ及びそれに続く第２のページの楽譜を並べて表示するための表示手段と、
前記楽譜データを基に前記第２のページに続く第３のページの楽譜を前記第１のページに代えて表示する改ページ手段とを有する楽譜表示装置。
【請求項２】
前記表示手段は、楽譜の進行開始指示がされると、前記楽譜データに応じて楽譜を進行させてその進行位置を表示する請求項１記載の楽譜表示装置。
【請求項３】
さらに、前記楽譜の進行開始が指示されると、前記楽譜データに応じて発音処理を行う発音処理手段を有する請求項２記載の楽譜表示装置。
【請求項４】
さらに、演奏者が演奏操作するための鍵盤を有する請求項２記載の楽譜表示装置。
【請求項５】
前記表示手段は、楽譜の進行開始指示がされると、前記楽譜データ及び前記鍵盤の演奏操作に応じて楽譜を進行させてその進行位置を表示する請求項４記載の楽譜表示装置。
【請求項６】
前記改ページ手段は、前記第１のページの楽譜の進行が終了すると、前記第３のページの楽譜を前記第１のページに代えて表示する請求項１〜５のいずれか１項に記載の楽譜表示装置。
【請求項７】
前記改ページ手段は、前記第２のページの楽譜の進行中に、前記第３のページの楽譜を前記第１のページに代えて表示する請求項１〜５のいずれか１項に記載の楽譜表示装置。
【請求項８】
前記改ページ手段は、前記第２のページ内の半分の楽譜の進行が終了すると、前記第３のページの楽譜を前記第１のページに代えて表示する請求項１〜５のいずれか１項に記載の楽譜表示装置。
【請求項９】
前記表示手段は、前記第１のページ及び前記第２のページの楽譜を横に並べて表示する請求項１〜８のいずれか１項に記載の楽譜表示装置。
【請求項１０】
前記表示手段は、前記第１のページ及び前記第２のページの楽譜を縦に並べて表示する請求項１〜８のいずれか１項に記載の楽譜表示装置。
【請求項１１】
前記表示手段は、前記第１のページ及び前記第２のページの楽譜を横に並べて表示する形態と縦に並べて表示する形態とを切り替えることができる請求項１〜８のいずれか１項に記載の楽譜表示装置。
【請求項１２】
複数ページの楽譜データを記憶するための記憶手段と、
前記楽譜データを基に第１のページ及びそれに続く第２のページの楽譜を並べて表示するための表示手段と、
改ページを指示するための改ページ操作子と、
前記改ページ操作子の操作に応じて前記第２のページに続く第３のページの楽譜を前記第１のページに代えて表示する改ページ手段とを有する楽譜表示装置。
【請求項１３】
前記表示手段は、前記第１のページ及び前記第２のページの楽譜を横に並べて表示する請求項１２記載の楽譜表示装置。
【請求項１４】
前記表示手段は、前記第１のページ及び前記第２のページの楽譜を縦に並べて表示する請求項１２記載の楽譜表示装置。
【請求項１５】
前記表示手段は、前記第１のページ及び前記第２のページの楽譜を横に並べて表示する形態と縦に並べて表示する形態とを切り替えることができる請求項１２記載の楽譜表示装置。
【発明の詳細な説明】
【０００１】
【発明の属する技術分野】
本発明は、楽譜表示技術に関する。
【０００２】
【従来の技術】
従来、演奏者は、冊子状の楽譜を見ながら演奏を行っていた。冊子状の楽譜では、ページをめくるまで次ページの楽譜が見えないので、楽譜を先読みしての演奏が困難であった。
【０００３】
また、下記の特許文献１には、楽譜の譜めくりを楽にするための楽譜表示方法が開示されている。また、下記の特許文献２には、物理的に楽譜のページをめくる操作を行う必要のない楽譜表示装置が開示されている。また、下記の特許文献３には、見開き左右ページに譜面を表示する折りたたみ可能な電子譜めくり装置が開示されている。
【０００４】
【特許文献１】
特開平１０−８３１８３号公報
【特許文献２】
特開平５−７３０４２号公報
【特許文献３】
特開平１１−１５３９９１号公報
【０００５】
【発明が解決しようとする課題】
本発明の目的は、演奏者等が冊子状の楽譜をめくることなく、適切なタイミングで容易に楽譜を改ページして表示することができる楽譜表示技術を提供することである。
【０００６】
【課題を解決するための手段】
本発明の一観点によれば、複数ページの楽譜データを記憶するための記憶手段と、前記楽譜データを基に第１のページ及びそれに続く第２のページの楽譜を並べて表示するための表示手段と、前記楽譜データを基に前記第２のページに続く第３のページの楽譜を前記第１のページに代えて表示する改ページ手段とを有する楽譜表示装置が提供される。
本発明の他の観点によれば、複数ページの楽譜データを記憶するための記憶手段と、前記楽譜データを基に第１のページ及びそれに続く第２のページの楽譜を並べて表示するための表示手段と、改ページを指示するための改ページ操作子と、前記改ページ操作子の操作に応じて前記第２のページに続く第３のページの楽譜を前記第１のページに代えて表示する改ページ手段とを有する楽譜表示装置が提供される。
【０００７】
本発明によれば、記憶手段に記憶された楽譜データを基に第１及び第２のページの楽譜を並べて表示するので、演奏者等が冊子状の楽譜をめくることなく、楽譜を先読みして演奏等を行うことができる。また、改ページ手段により楽譜を改ページして表示するので、適切なタイミングで容易に楽譜を改ページして表示することができる。
【０００８】
【発明の実施の形態】
図１は、本発明の実施形態による楽譜表示装置の表示画面例を示す。表示画面１００は、左楽譜表示領域１０１及び右楽譜表示領域１０２を有する。左楽譜表示領域１０１には第１のページの楽譜データが表示され、右楽譜表示領域１０２には第１のページに続く第２のページの楽譜データが表示される。第１及び第２のページの楽譜は、横に並べて表示される。各ページの楽譜は、それぞれ例えば４段の五線譜を有する。第１及び第２のページを含む楽譜データは、電子データであり、記憶手段に記憶されている。
【０００９】
図２（Ａ）〜（Ｄ）は、改ページ表示（譜めくり）の例を示す。
まず、図２（Ａ）において、上記のように、左楽譜表示領域１０１には１ページ目の楽譜が表示され、右楽譜表示領域１０２には２ページ目の楽譜が表示される。演奏者は、１ページ目及び２ページ目の楽譜を見ながら、１ページ目の楽譜の演奏を行うことができる。
【００１０】
次に、演奏者が左楽譜表示領域１０１の１ページ目の楽譜を弾き終わると、図２（Ｂ）に示すように、左楽譜表示領域１０１の表示が１ページ目から３ページ目に切り替わる。右楽譜表示領域１０２には２ページ目の楽譜が表示されたままであるので、演奏者は２ページ目及び３ページ目の楽譜を見ながら、２ページ目の演奏を行うことができる。
【００１１】
次に、演奏者が右楽譜表示領域１０２の２ページ目の楽譜を弾き終わると、図２（Ｃ）に示すように、右楽譜表示領域１０２の表示が２ページ目から４ページ目に切り替わる。左楽譜表示領域１０１には３ページ目の楽譜が表示されたままであるので、演奏者は３ページ目及び４ページ目の楽譜を見ながら、３ページ目の演奏を行うことができる。
【００１２】
次に、演奏者が左楽譜表示領域１０１の３ページ目の楽譜を弾き終わると、図２（Ｄ）に示すように、左楽譜表示領域１０１の表示が３ページ目から５ページ目に切り替わる。右楽譜表示領域１０２には４ページ目の楽譜が表示されたままであるので、演奏者は４ページ目及び５ページ目の楽譜を見ながら、４ページ目の演奏を行うことができる。
【００１３】
以下、同様の方法により、譜めくりを行う。左楽譜表示領域１０１及び右楽譜表示領域１０２を設け、各楽譜表示領域１０１，１０２毎に別々に改ページを行うことにより、現在演奏中のページとその次のページが常に表示されるので、演奏がページをまたぐときにも音符を見失うことがなく、楽譜を先読みして演奏することができる。
【００１４】
図３（Ａ）は、第１のページ及びそれに続く第２のページの楽譜を横に並べて表示する形態例を示す。上記のように、表示画面１００は、左楽譜表示領域１０１及び右楽譜表示領域１０２を有する。左楽譜表示領域１０１には第１のページの楽譜が表示され、右楽譜表示領域１０２には第１のページに続く第２のページの楽譜が表示される。第１及び第２のページの楽譜は、横に並べて表示される。例えば、第１のページは４段の五線譜３１１〜３１４を有し、第２のページも４段の五線譜３１５〜３１８を有する。
【００１５】
図３（Ｂ）は、第１のページ及びそれに続く第２のページの楽譜を縦に並べて表示する形態例を示す。表示画面１００は、上楽譜表示領域３０１及び下楽譜表示領域３０２を有する。上楽譜表示領域３０１には第１のページの楽譜が表示され、下楽譜表示領域３０２には第１のページに続く第２のページの楽譜が表示される。第１及び第２のページの楽譜は、縦に並べて表示される。例えば、第１のページは１段の五線譜３１１を有し、第２のページも１段の五線譜３１２を有する。
【００１６】
また、第１のページ及び第２のページの楽譜を横に並べて表示する形態（図３（Ａ））と縦に並べて表示する形態（図３（Ｂ））とを操作子の操作により切り替えることができる。例えば、図３（Ａ）の横並び表示において、表示切り替えを指示すると、図３（Ｂ）の縦並びの拡大表示に変更される。図３（Ａ）の横並び表示は縮小表示に適し、図３（Ｂ）の縦並びは拡大表示に適する。
【００１７】
この場合、上楽譜表示領域３０１には１段目の五線譜３１１が表示され、下楽譜表示領域３０２には２段目の五線譜３１２が表示される。１段目の五線譜３１１を弾き終わると、上楽譜表示領域３０１の表示が１段目の五線譜３１１から３段目の五線譜３１３に切り替わる。
【００１８】
次に、下楽譜表示領域３０２の２段目の五線譜３１２を弾き終わると、下楽譜表示領域３０２の表示が２段目の五線譜３１２から４段目の五線譜３１４に切り替わる。以下、同様に譜めくりを行う。
【００１９】
図４は、本実施形態による楽譜表示装置を含む電子楽器のハードウエア構成例を示すブロック図である。
【００２０】
バスライン４０１には、プログラム／データ記憶部４０２、タイミング発生部４０３、コントローラ（ＣＰＵ）４０４、楽音信号発生部４０５、サウンドシステム４０６、表示部４０７、鍵盤スキャン回路４０８、パネルスキャン回路４０９、ＭＩＤＩインターフェース４１０、及び楽譜データ一時記憶領域（ＲＡＭ）４１１が接続されている。
【００２１】
記憶部４０２は、ＲＯＭ又は外部記憶装置（フレキシブルディスク等）であり、ＣＰＵ４０４が処理するコンピュータプログラム及び複数ページの楽譜データ等を記憶する。ＣＰＵ４０４は、記憶部４０２又はＲＡＭ４１１内のコンピュータプログラムに応じて、後に説明する図６〜図９の処理等を行う。
【００２２】
ＲＡＭ４１１は、記憶部４０２内の楽譜データ等を一時記憶する。楽譜データは、音符情報を含む。タイミング発生部４０３は、楽譜データ内の音符長に応じて、発音及び／又は改ページ等を行うためのタイミング信号を生成することができる。また、楽譜データは、楽譜表示データ及び自動演奏データの両者を兼ねたものである。また、楽譜データを基に、楽譜表示データ及び自動演奏データを生成してもよい。楽譜データの構成は、後に図５を参照しながら説明する。
【００２３】
表示部４０７は、例えば液晶ディスプレイであり、ＲＡＭ４１１内の楽譜データを基に、第１のページ及びそれに続く第２のページの楽譜を並べて表示し、譜めくり表示を行うことができる。パネルスイッチ群４１３は、ボタン、フットスイッチ又はタッチパネル等の操作子であり、自動演奏開始スイッチ、演奏練習開始スイッチ、及び表示形態選択スイッチを含む。パネルスキャン回路４０９は、パネルスイッチ群４１３上の操作子の操作に応じて、その操作情報をＣＰＵ４０４に出力する。
【００２４】
自動演奏開始スイッチを押すと、楽譜データ（自動演奏データ）を基に自動演奏を開始し、自動演奏に合わせて表示部４０７の楽譜表示の譜めくりを行う。演奏練習開始スイッチを押すと、楽譜の進行開始指示がされ、楽譜データに応じて楽譜を進行させてその進行位置を表示する。例えば、楽譜の進行に応じて、順に音符の色を変えて表示させる。これにより、演奏者は、自分が弾くべき楽譜上の音符の位置を知ることができる。演奏者は、楽譜上の進行表示を見ながら、鍵盤４１２を弾き、演奏練習を行うことができる。表示形態選択スイッチは、図３（Ａ）の横並び表示及び図３（Ｂ）の縦並び表示のいずれかを選択切り替えするための操作子である。
【００２５】
鍵盤４１２は、演奏者が演奏操作するための複数の白鍵及び黒鍵を有する。鍵盤スキャン回路４０８は、鍵盤４１２上の押鍵操作又は離鍵操作に応じて、ノートオンイベント又はノートオフイベントをＣＰＵ４０４に出力する。
【００２６】
ＣＰＵ４０４は、鍵盤４１２の操作及び／又は楽譜データ（自動演奏データ）を基に楽音パラメータを楽音信号発生部４０５に出力する。楽音信号発生部４０５は、楽音パラメータを入力し、楽音信号を生成し、サウンドシステム４０６に出力する。
【００２７】
サウンドシステム４０６は、Ｄ／Ａ変換器、アンプ及びスピーカを有する。Ｄ／Ａ変換器は、楽音信号をデジタル形式からアナログ形式に変換する。アンプにより楽音信号が増幅され、スピーカから発音される。
【００２８】
図４のように電子楽器単体で構成する代わりに、電子楽器とパーソナルコンピュータを接続して構成してもよい。その場合、パーソナルコンピュータは図４と同様の構成になり、ＭＩＤＩインターフェース４１０に外部の電子楽器（鍵盤）を接続することができる。
【００２９】
なお、パネルスイッチ群４１３に、ボタン、フットスイッチ又はタッチパネル等の改ページ操作子を設けることができる。演奏者等が改ページ操作子を操作すると、表示部４０７に表示される楽譜は譜めくりされる。演奏者は、所望のタイミングで改ページ操作子を操作することにより、所望のタイミングで譜めくりすることができる。
【００３０】
図５は、記憶部４０２（図４）等に記憶される楽譜データのフォーマット例を示す。楽譜データ５００は、ヘッダー５０１及び楽譜データ５０２を有する。ヘッダー５０１は、表題情報、作曲家名、作詞家名、楽譜のページ数等の情報を有する。楽譜データ５０２は、五線譜情報５１１及び音符・記号情報５１２等を有する。
【００３１】
五線譜情報５１１は、１ページ目情報５２１、２ページ目情報５２２及び３ページ目情報５２３等を有する。各ページ情報５２１〜５２３等は、五線譜の高さ、間隔、段落、小節数、小節区切り位置等の情報を有する。
【００３２】
音符・記号情報５１２は、１ページ目情報５３１、２ページ目情報５３２及び３ページ目情報５３３等を有する。各ページ情報５３１〜５３３等は、五線譜の段番号、小節番号、拍子番号、音符又は記号の種類（音符長を含む）、位置情報（音高を含む）等を有する。
【００３３】
この楽譜データ５００を基に、楽譜表示データ及び自動演奏データを生成することができる。楽譜表示データを基に、表示部４０７に楽譜が表示される。自動演奏データを基に、自動演奏を行うことができる。楽譜データ５００により、楽譜の音符とページ番号の関係がわかるので、ページの終わりを判断し、改ページ表示を行うことができる。
【００３４】
図６は、演奏練習モードにおいて、演奏者の鍵盤操作にかかわらず、楽譜データを基に譜めくりする処理を示すフローチャートである。演奏練習スイッチ又は鍵盤を押すと、演奏練習モードになり、楽譜の進行が開始する。その際、図２（Ａ）に示すように、ＲＡＭ４１１上の楽譜データを基に１ページ目及び２ページ目の楽譜を並べて表示部４０７に表示する。一定時間のメトロノームのカウントがあった後、楽譜に沿って、演奏者は鍵盤を弾き始める。楽譜の進行タイミングに応じて、弾くべき音符の色が変わる。これにより、正しく弾くべき音符がその都度わかるようになる。演奏者は、音高及びタイミング（テンポ）の両方を演奏練習することができる。
【００３５】
まず、ステップＳ６０１では、楽譜データを基に音符の位置まできたか否かをチェックする。楽譜データを基に音符長及び休符長等がわかるので、タイミング情報が次の音符開始位置まで経過したか否かをチェックする。具体的には、ＣＰＵ４０４が楽譜データを基に音符毎のページ番号、段番号、小節番号、拍子番号を監視することにより、現在の演奏箇所を検出することができる。音符開始位置でなければ待機し、音符開始位置であればステップＳ６０２へ進む。
【００３６】
ステップＳ６０２では、表示された楽譜上のその音符の色を変更する。時間の経過と共に、楽譜が進行し、その進行箇所の音符の色が変化していく。演奏者は、現在弾くべき音符の位置を知ることができる。すなわち、演奏練習スイッチを押して楽譜の進行開始指示がされると、楽譜データに応じて楽譜を進行させてその進行位置を表示することができる。
【００３７】
次に、ステップＳ６０３では、改ページ設定された箇所まで進行したか否かをチェックする。例えば、楽譜のページ内の最後の音符の後に、改ページ設定がされている。改ページ設定箇所でなければステップＳ６０１へ戻り、改ページ設定箇所であればステップＳ６０４へ進む。
【００３８】
ステップＳ６０４では、楽譜のページを切り替えて表示する。例えば、図２（Ｂ）に示すように、左楽譜表示領域１０１において、ＲＡＭ４１１上の楽譜データを基に１ページ目から３ページ目の楽譜に表示を切り替える。以下、上記の処理を繰り返す。
【００３９】
図７は、演奏練習モードにおいて、演奏者の鍵盤操作及び楽譜データを基に譜めくりする処理を示すフローチャートである。演奏練習スイッチ又は鍵盤を押すと、演奏練習モードになり、楽譜の進行が開始する。その際、図２（Ａ）に示すように、ＲＡＭ４１１上の楽譜データを基に１ページ目及び２ページ目の楽譜を並べて表示部４０７に表示する。一定時間のメトロノームのカウントがあった後、楽譜に沿って、演奏者は鍵盤を弾き始める。正しく弾いた音符は色が変わり、次の音符に進むことができる。間違えて弾くと、正しく弾くまで先に進めない。これにより、演奏者は、どこまで弾いたか、及び次はどこを弾けばよいのかがわかるようになる。演奏者は、押鍵タイミングを気にせずに正しい音高の音符を弾く練習を行うことができる。
【００４０】
まず、ステップＳ７０１では、演奏者による鍵盤の押鍵があるか否かをチェックし、押鍵があれば押鍵処理を行う。具体的には、押鍵に応じた発音処理を行う。
【００４１】
次に、ステップＳ７０２では、上記の押鍵が正しく弾かれたか否かをチェックする。具体的には、鍵盤を押鍵した音高と楽譜データの音符の音高とが同じであれば、正しく弾かれたと判断することができる。また、音高が異なっていても、押鍵さえあれば、正しく弾かれたと判断してもよい。正しく弾かれればステップＳ７０３へ進み、正しく弾かれなければステップＳ７０１へ戻る。
【００４２】
ステップＳ７０３では、表示された楽譜上のその音符の色を変更する。演奏者が鍵盤を正しく押鍵すれば、楽譜が進行し、その進行箇所の音符の色が変化していく。演奏者は、次に弾くべき音符の位置を知ることができる。すなわち、演奏練習スイッチを押して楽譜の進行開始指示がされると、鍵盤の演奏操作（押鍵）及び楽譜データに応じて楽譜を進行させてその進行位置を表示することができる。
【００４３】
次に、ステップＳ７０４では、改ページ設定された箇所まで進行したか否かをチェックする。例えば、楽譜のページ内の最後の音符の後に、改ページ設定がされている。改ページ設定箇所でなければステップＳ７０１へ戻り、改ページ設定箇所であればステップＳ７０５へ進む。
【００４４】
ステップＳ７０５では、楽譜のページを切り替えて表示する。例えば、図２（Ｂ）に示すように、左楽譜表示領域１０１において、ＲＡＭ４１１上の楽譜データを基に１ページ目から３ページ目の楽譜に表示を切り替える。以下、上記の処理を繰り返す。
【００４５】
図８は、自動演奏モードにおいて、楽譜データを基に譜めくりする処理を示すフローチャートである。自動演奏スイッチを押すと、自動演奏モードになり、自動演奏（楽譜の進行）が開始する。その際、図２（Ａ）に示すように、ＲＡＭ４１１上の楽譜データを基に１ページ目及び２ページ目の楽譜を並べて表示部４０７に表示する。楽譜に沿って、自動演奏による発音が始まる。自動演奏（楽譜）の進行タイミングに応じて、進行中の音符の色が変わる。これにより、現在自動演奏している楽譜上の音符の位置がわかるようになる。
【００４６】
まず、ステップＳ８０１では、楽譜データを基に音符の位置まできたか否かをチェックする。楽譜データを基に音符長及び休符長等がわかるので、タイミング情報が次の音符開始位置まで経過したか否かをチェックする。音符開始位置でなければ待機し、音符開始位置であればステップＳ８０２へ進む。
【００４７】
ステップＳ８０２では、表示された楽譜上のその音符の色を変更し、楽譜データ（自動演奏データ）に応じてその音符の発音処理を行う。時間の経過と共に、自動演奏（楽譜）が進行し、その進行箇所の音符の色が変化していき、自動演奏による発音が行われる。演奏者は、現在自動演奏されている音符の位置を知ることができる。すなわち、自動演奏スイッチを押して自動演奏（楽譜）の進行開始指示がされると、楽譜データに応じて楽譜を進行させてその進行位置を表示することができる。
【００４８】
次に、ステップＳ８０３では、改ページ設定された箇所まで進行したか否かをチェックする。例えば、楽譜のページ内の最後の音符の後に、改ページ設定がされている。改ページ設定箇所でなければステップＳ８０１へ戻り、改ページ設定箇所であればステップＳ８０４へ進む。
【００４９】
ステップＳ８０４では、楽譜のページを切り替えて表示する。例えば、図２（Ｂ）に示すように、左楽譜表示領域１０１において、ＲＡＭ４１１上の楽譜データを基に１ページ目から３ページ目の楽譜に表示を切り替える。以下、上記の処理を繰り返す。
【００５０】
以上のように、楽譜データを基に第１のページ及びそれに続く第２のページの楽譜を並べて表示し、楽譜データを基に第２のページに続く第３のページの楽譜を第１のページに代えて表示することができる。演奏者が楽譜を自らめくらなくても、適切なタイミングで自動的に譜めくりをすることができる。
【００５１】
上記の図６のステップＳ６０３、図７のステップＳ７０４及び図８のステップＳ８０３では、第１のページの楽譜の進行が終了すると、第３のページの楽譜を第１のページに代えて表示する。すなわち、改ページ設定箇所を楽譜のページの最後の音符の後の箇所に設定する例を説明したが、それ以外の箇所に設定してもよい。また、初期設定画面において、ユーザが楽譜データの任意の位置に改ページ設定箇所を設定することができる。
【００５２】
例えば、第２のページの楽譜内の任意の位置に改ページ設定箇所を設定することにより、第２のページの楽譜の進行中に、第３のページの楽譜を第１のページに代えて表示してもよい。また、第２のページの全４段内の２段目の後に改ページ設定箇所を設定することにより、第２のページ内の半分の楽譜の進行が終了すると、第３のページの楽譜を第１のページに代えて表示するようにしてもよい。
【００５３】
図９は、改ページ操作子の操作を基に譜めくりする処理を示すフローチャートである。演奏練習スイッチ又は鍵盤を押すと、演奏練習モードになり、楽譜の進行が開始する。その際、図２（Ａ）に示すように、ＲＡＭ４１１上の楽譜データを基に１ページ目及び２ページ目の楽譜を並べて表示部４０７に表示する。一定時間のメトロノームのカウントがあった後、楽譜に沿って、演奏者は鍵盤を弾き始める。楽譜の進行タイミングに応じて、弾くべき音符の色が変わる。これにより、正しく弾くべき音符がその都度わかるようになる。
【００５４】
まず、ステップＳ９０１では、楽譜データを基に音符の位置まできたか否かをチェックする。楽譜データを基に音符長及び休符長等がわかるので、タイミング情報が次の音符開始位置まで経過したか否かをチェックする。音符開始位置でなければ待機し、音符開始位置であればステップＳ９０２へ進む。
【００５５】
ステップＳ９０２では、表示された楽譜上のその音符の色を変更する。時間の経過と共に、楽譜が進行し、その進行箇所の音符の色が変化していく。演奏者は、現在弾くべき音符の位置を知ることができる。すなわち、演奏練習スイッチを押して楽譜の進行開始指示がされると、楽譜データに応じて楽譜を進行させてその進行位置を表示することができる。
【００５６】
次に、ステップＳ９０３では、改ページ操作子（ボタン又はフットスイッチ等）が操作されたか否かをチェックする。演奏者は、改ページ操作子により改ページを指示することができる。操作されていなければステップＳ９０１へ戻り、操作されていればステップＳ９０４へ進む。
【００５７】
ステップＳ９０４では、楽譜のページを切り替えて表示する。例えば、図２（Ｂ）に示すように、左楽譜表示領域１０１において、ＲＡＭ４１１上の楽譜データを基に１ページ目から３ページ目の楽譜に表示を切り替える。以下、上記の処理を繰り返す。
【００５８】
なお、ステップＳ９０１及びＳ９０２を削除してもよい。また、演奏練習モードではなく、マニュアル演奏モードにおいて、改ページ操作子の操作に応じて譜めくりを行ってもよい。
【００５９】
以上のように、楽譜データを基に第１のページ及びそれに続く第２のページの楽譜を並べて表示し、改ページ操作子の操作に応じて第２のページに続く第３のページの楽譜を第１のページに代えて表示することができる。演奏者は、改ページ操作子を操作することにより、所望のタイミングで譜めくりをすることができる。
【００６０】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００６１】
【発明の効果】
以上説明したように、記憶手段に記憶された楽譜データを基に第１及び第２のページの楽譜を並べて表示するので、演奏者等が冊子状の楽譜をめくることなく、楽譜を先読みして演奏等を行うことができる。また、改ページ手段により楽譜を改ページして表示するので、適切なタイミングで容易に楽譜を改ページして表示することができる。
【図面の簡単な説明】
【図１】本発明の実施形態による楽譜表示装置の表示画面例を示す図である。
【図２】図２（Ａ）〜（Ｄ）は改ページ表示（譜めくり）の例を示す図である。
【図３】図３（Ａ）は第１のページ及びそれに続く第２のページの楽譜を横に並べて表示する形態例を示す図であり、図３（Ｂ）は第１のページ及びそれに続く第２のページの楽譜を縦に並べて表示する形態例を示す図である。
【図４】本実施形態による楽譜表示装置を含む電子楽器のハードウエア構成例を示すブロック図である。
【図５】楽譜データのフォーマット例を示す図である。
【図６】演奏練習モードにおいて、演奏者の鍵盤操作にかかわらず、楽譜データを基に譜めくりする処理を示すフローチャートである。
【図７】演奏練習モードにおいて、演奏者の鍵盤操作及び楽譜データを基に譜めくりする処理を示すフローチャートである。
【図８】自動演奏モードにおいて、楽譜データを基に譜めくりする処理を示すフローチャートである。
【図９】改ページ操作子の操作を基に譜めくりする処理を示すフローチャートである。
【符号の説明】
１００  表示画面
１０１  左楽譜表示領域
１０２  右楽譜表示領域
４０１  バスライン
４０２  プログラム／データ記憶部
４０３  タイミング発生部
４０４  ＣＰＵ
４０５  楽音信号発生部
４０６  サウンドシステム
４０７  表示部
４０８  鍵盤スキャン回路
４０９  パネルスキャン回路
４１０  ＭＩＤＩインターフェース
４１１  ＲＡＭ
４１２  鍵盤
４１３  パネルスイッチ群
【図１】
2005017532.tif 000003
【図２】
2005017532.tif 000004
【図３】
2005017532.tif 000005
【図４】
2005017532.tif 000006
【図５】
2005017532.tif 000007
【図６】
2005017532.tif 000008
【図７】
2005017532.tif 000009
【図８】
2005017532.tif 000010
【図９】
2005017532.tif 000011